(57)【要約】【課題】二次元で行う物質分離技術において、一次元目分離路から二次元目分離路への試料溶液への移行制御技術を提供すること。【解決手段】試料溶媒中に含まれる溶質分子の分離を行うための分離路１ａの入口部１１及び出口部１２の双方を疎水性領域とし、これら疎水性領域を親水性領域に変換した条件下で前記分離路１ａ内からの溶質分子の回収を行うことを特徴とする物質分離路１ａの制御方法、及び該制御方法を利用した二次元物質分離路を提供する。【選択図】図１
2008128775.tif 000002
【特許請求の範囲】
【請求項１】
試料溶媒中に含まれる溶質分子の分離を行うための分離路の入口部及び出口部の双方を疎水性領域とし、これら疎水性領域を親水性領域に変換した条件下で前記分離路内からの溶質分子の回収を行うことを特徴とする物質分離路の制御方法。
【請求項２】
前記疎水性領域は酸化チタンによって形成されており、該酸化チタンに紫外線を照射することにより、前記疎水性領域を親水性領域に変換することを特徴とする請求項１記載の路制御方法。
【請求項３】
一次元目分離路と、該一次元目分離路に連通する二次元目分離路と、を少なくとも備えており、
前記一次元目分離路側に位置する前記二次元目分離路の入口部と他端側に位置する出口部が、親水性に変換可能な疎水性領域とされた構造を備える二次元物質分離路。
【請求項４】
前記一次元目分離路は、等電点電気泳動に基づいて溶媒中の溶質分子を分離可能な構成であることを特徴とする請求項３記載の二次元物質分離路。
【請求項５】
前記二次元目分離路は、前記一次元目分離路から得られる分離溶液に遠心力を加えることで沈降平衡時の分子量に依存した濃度勾配を形成可能な構成であることを特徴とする請求項３記載の二次元物質分離路。
【請求項６】
基板上に形成されたことを特徴とする請求項３記載の二次元物質分離路。
【発明の詳細な説明】
【技術分野】
【０００１】
本発明は、物質の分離（分画）を行うための分離路に係わる技術に関する。より詳細には、試料溶液中に含まれる複数種の溶質分子を分離するときに使用される分離路に対する試料の導入や回収に係わる制御方法、並びに、同分離路の構造に関する。
【背景技術】
【０００２】
試料溶液中に含まれる複数種の溶質分子をその性質や分子量に基づいて分離（分画）する方法として、「二次元電気泳動法」が知られている。この二次元電気泳動法は、広義には、順番に二つの方向（次元）へ電気泳動を行って溶質分子の分離・解析を行う方法を指すが、狭義には、等電点電気泳動を行い、続く二次元目にＳＤＳ-ポリアクリルアミドゲル電気泳動（以下略称、ＳＤＳ-ＰＡＧＥ）を行う方法を意味し、現在この方法は、特に、多種類のタンパク質の分離・分析に広く利用されている。
【０００３】
なお、等電点電気泳動は、ｐＨ勾配の存在下で溶質分子（両性電解質）を電気泳動すると等電点（電荷が０となる点）まで移動して止まって、各溶質分子が等電点の順に並ぶという原理であり、ＳＤＳ-ＰＡＧＥは、アクリルアミドとN,N’-メチレンビスアクリルアミドの混合溶液中で重合形成した分子ふるい中を、溶質分子にドデシル硫酸ナトリウム（ＳＤＳ）を結合して分子量に対応する負電荷を与え、これにより陽極側へ移動させて分画する原理である。
【０００４】
近年では、二次元電気泳動法を基板上で行う技術が提案されている。例えば、第１の電気泳動分離媒体と第２の電気泳動分離媒体が互いに間隔をおいて形成された基板を用いて、第１の電気泳動分離媒体に電場を形成した後、この第１の電気泳動分離媒体の長手方向に対して垂直方向に電場を与えることにより、第２の分離媒体に分離する技術が提案されている（特許文献１参照）。
【０００５】
また、マイクロチップの分離チャンネルに泳動電場を形成し、微量のタンパク質試料を、分子量と等電点による分離を同時に行う二次元電気泳動法も提案されている（特許文献２参照）。
【０００６】
加えて、試料の小容量化・微量化の流れに対応する技術として、タンパク質（あるいはタンパク質相互作用）の網羅的解析を目的に、センサーチップ上に固定された分子と特異的に相互作用した微量のタンパク質を質量分析（ＭＳ）で解析する方法（非特許文献１）や動物細胞などへ発現させたエピトープタグ融合タンパク質と複合体を形成しているタンパク質群をエピトープに対する抗体ビーズを用いて分離生成し、これを質量分析によって網羅的に解析する方法も提案されている（非特許文献２）。
【特許文献１】特開２００６−１６２４０５号公報。
【特許文献２】特開２００４−１５０８９９号公報。
【非特許文献１】「プロテオーム解析法」（磯辺俊明、高橋信弘編）、羊土社、Ｐ１９０〜１９８。
【非特許文献２】「注目のプロテオミクスの全貌を知る！」（磯辺俊明、高橋信弘編）、羊土社、Ｐ４６〜５３。
【発明の開示】
【発明が解決しようとする課題】
【０００７】
本発明は、特に、二次元で行う物質分離技術において、一次元目分離路から二次元目分離路への試料溶液への移行を、目的のタイミングで、かつ、円滑に行うことを可能とすること、並びに、一次元目の分離路に対して複数の二次元目分離路を接続した構成を想定したときに、任意に選択された二次元目分離路だけから目的の溶質分子を回収できるようにすることを主な目的とする。
【課題を解決するための手段】
【０００８】
本発明では、第一には、物質分離路の制御方法を提供する。該方法では、試料溶媒中に含まれる溶質分子の分離を行うための分離路の入口部及び出口部の双方を疎水性領域としておき、これらの疎水性領域を親水性領域に変換した条件下で前記分離路内からの溶質分子の回収を行うようにする。本発明の疎水性領域を親水性領域に変換する方法は、特に限定されないが、例えば、前記疎水性領域を酸化チタンによって形成しておき、該酸化チタンに紫外線を照射することによって、前記疎水性領域を親水性領域に変換することが可能である。
【０００９】
本発明では、第二に、新規な構造を有する二次元物質分離路を提供する。具体的には、この二次元物質分離路は、一次元目分離路と、該一次元目分離路に連通する二次元目分離路と、を少なくとも備えており、前記一次元目分離路側に位置する前記二次元目分離路の入口部と他端側に位置する出口部が、親水性に変換可能な疎水性領域とされた構造を有している。
【００１０】
前記した一元目分離路や二次元目分離路における分離原理や手段は特に限定されないが、例えば、一次元目分離路は、等電点電気泳動に基づいて溶媒中の溶質分子を分離可能な構成とし、前記二次元目分離路は、前記一次元目分離路から得られる分離溶液に遠心力を加えることで沈降平衡時の分子量に依存した濃度勾配を形成可能な構成とし、これらの二つの分離路を連結した新規な構成も採用できる。なお、各分離路は、例えば、基板上に形成することができる。
【発明の効果】
【００１１】
本発明によれば、一元目分離路から二次元目分離路への試料溶液への移行を、目的のタイミングで、かつ、円滑に行うことができる。また、一次元目の分離路に対して複数の二次元目分離路を接続した構成では、任意に選択された二次元目分離路だけから目的の溶質分子を回収できる。
【発明を実施するための最良の形態】
【００１２】
以下、本発明を実施するための好適な形態について図面を参照しながら説明する。なお、以下に説明する実施形態は、本発明の代表的な実施形態の一例を示したものであり、これにより本発明の範囲が狭く解釈されることはない。
【００１３】
＜物質分離路の制御方法＞
図１から図３を用いて、本発明に係る物質分離路の制御方法について説明する。図１は、本発明に係る制御方法の一実施形態を用いた物質分離路１ａの構成を示す外観図である。
【００１４】
図１の矢印Ｓは、試料溶媒が移動する方向を示す。物質分離路１ａは、入口部１１及び出口部１２に、疎水性領域を設ける（図１中（Ｉ）参照）。この入口部１１と出口部１２に設けられた疎水性領域は、その性質を疎水性から親水性へ変換できるよう設計する。
【００１５】
本発明に係る制御方法では、入口部１１及び出口部１２を疎水性にしたまま、試料溶媒を物質分離路１ａへ導入させる。導入方法は特に限定されず、遠心力による沈降平衡原理、負圧吸引、正圧押出、又は毛細管現象などあらゆる方法を採用することができる。
【００１６】
物質分離路１ａに試料溶媒を導入した際、図示しないが、予め試料溶媒中の任意の溶質分子に標識等をし、標識から得られる光情報や放射線情報などを捕捉することによって、特定の溶質分子の検出、溶媒分子間の相互作用の有無などを検出することができる。
【００１７】
前記光情報や放射線情報などは特に限定されないが、例えば、物質の光吸収や光干渉（レイリー干渉計）による情報などを挙げることができる。
【００１８】
次に、入口部１１と出口部１２を、疎水性から親水性へ変換する（図１中（II）参照）。この条件下で、溶質分子の回収を行う。回収方法は特に限定されず、遠心力の付加、負圧吸引、又は正圧押出などあらゆる方法を採用することができる。
【００１９】
本発明では、物質分離路１ａへの試料溶媒の導入を制御することができるため、任意の時間に任意の方法で試料溶媒を物質分離路１ａへ導入し、種々の検出を効率的に行うことが可能である。
【００２０】
また、物質分離路１ａからの溶質分子の回収を制御することができるため、物質分離路１ａ内で種々の検出を行う際、溶質分子の物質分離路１ａ外への洩れ出しなどを防ぎ、検出対象となる溶質分子を物質分離路１ａ内へ有効に留めることが可能である。その結果、検出精度の向上を図ることもできる。
【００２１】
入口部１１と出口部１２の疎水性領域の形成方法は、疎水性から親水性への変換が可能であれば、特に限定されない。疎水性領域の形成方法の好適な一例について、図２を用いて説明する。
【００２２】
図２は、図１とは異なる実施形態の制御方法を用いた物質分離路１ｂの構成を示す外観図である。
【００２３】
本実施形態では、物質分離路１ｂの入口部１１及び出口部１２を、酸化チタンにより形成している。酸化チタンは、通常は疎水性であるが、紫外線を照射することにより親水性へと変化する物質である。従って、入口部１１と出口部１２を酸化チタンで形成すれば、通常は疎水性のため、親水性の溶質分子の導入を遮断することができる（図２（Ｉ）参照）。この時、遠心力の付加、負圧吸引、又は正圧押出などの方法をとることにより、親水性の溶質分子を強制的に物質分離路１ｂ内へ導入することも可能である。
【００２４】
そして、任意の時に紫外線ＵＶを照射し、その性質を親水性へと変換させる。入口部１１及び出口部１２を親水性にすることにより、親水性の溶質分子を通過させ、確実かつ円滑に回収することができる（図２（II）参照）。
【００２５】
図３を用いて、本発明に係る物質分離路１ｃへの試料溶液の導入、及び物質分離路１ｃからの試料溶液の回収方法の一例を説明する。図３は、図１、図２とは異なる実施形態の制御方法を用いた物質分離路１ｃの構成を示す外観図である。
【００２６】
本実施形態では、試料溶媒を物質分離路１ｃから回収するためのドレイン路Ｄを設けている（図３中（Ｉ）参照）。該ドレイン路Ｄは、物質分離路１ｃの出口部１２に連通した構成である。また、該ドレイン路Ｄには、物質分離路１ｃと平行するように、ドレインコントロール路ＤＣが連通されている。更に、ドレイン路Ｄには、図３中Ｄ１で示す疎水領域が設けられており、ドレインコントロール路ＤＣからの排出液等の物質分離路１ｃ側への流入を防ぐ。ドレインコントロール路ＤＣの出口部ＤＣ１にも、疎水性領域が設けられている。
【００２７】
まず、ドレイン路Ｄに、空気を送り込む（図３中（II）参照）。ドレイン路Ｄを空気で満たしている状態で、ドレインコントロール路ＤＣに水を導入する（図３中（III）参照）。すると、ドレイン路Ｄの図３中符号Ｄ２で示す部分だけが、空気で満たされた状態になる。空気は圧縮性があるため、この状態で物質分離路１ｃに試料溶液を導入すると（図３中（IV）矢印Ｓ参照）、Ｄ２分の試料溶液のみを、物質分離路１ｃに導入することができる（図３中（IV）参照）。その後、疎水領域を親水性へと変換し、図３中（Ｖ）矢印Ｓ方向に圧力等を加えれば、試料溶液を回収することができる。
【００２８】
＜二次元物質分離路＞
図４から図６を用いて、本発明に係る二次元物質分離路を説明する。図４は、本発明に係る二次元物質分離路２ａの一実施形態を示す外観図である。
【００２９】
本発明に係る二次元物質分離路２ａは、大別すると、一次元目分離路２１と二次元目分離路１ａ（１ｂ）と、を少なくとも備える構成である。該二次元目分離路は、前記物質分離路１ａ（１ｂ）と同一の構成である。二次元目分離路１ａ（１ｂ）の入口部１１が、一次元目分離路２１の任意の位置に連結する構成をとっている。
【００３０】
二次元目分離路１ａ（１ｂ）の入口部１１及び出口部１２は、その性質を疎水性から親水性へ変換できるように設計する。入口部１１と出口部１２の疎水性領域の形成方法は、疎水性から親水性への変換が可能であれば、特に限定されない。好適な一例としては、入口部１１と出口部１２を、酸化チタンによって形成することが挙げられる。
【００３１】
まず、図４中矢印Ｓ方向に試料溶媒を導入し、一次元分離路２１内で、一次元分離を行う。一次元目分離路２１で行う分離方法は、特に限定されない。好適な一例としては、等電点電気泳動に基づいた分離方法が挙げられる。
【００３２】
次に、一次元分離路２１で分離された溶質分子を、二次元分離路１ａ（１ｂ）へ移行させる。移行方法は、特に限定されない。例えば、遠心力の付加、負圧吸引、正圧押出、毛細管現象などの方法を採用することができる。
【００３３】
本発明に係る二次元物質分離路２ａは、一次元目分離路２１で分離した物質を、適切なタイミングで、二次元目分離路１ａ（１ｂ）へ移行させることができる。そのため、一次元目分離路２１内での物質の分離が完了する前に、二次元目分離路１ａ（１ｂ）への物質の流入を防ぐことができる。従って、種々の溶質分子が混在した試料溶媒等の二次元目分離路への流入を防止し、物質の分離精度の向上を図ることが可能である。
【００３４】
二次元目分離路１ａ（１ｂ）に移行した溶質分子は、二次元目分離路１ａ（１ｂ）内で、更に分離される。分離方法は、特に限定されない。好適な一例としては、遠心力による沈降平衡に基づいた方法が挙げられる。図５を用いて詳しく説明する。
【００３５】
図５は、図４とは異なる実施形態の二次元物質分離路２ｂを示す外観図である。本実施形態では、遠心力による沈降平衡に基づいた方法を用いて、二次元目分離路１ａ（１ｂ）での溶質分子の分離等を行う。この方法を用いれば、溶質分子の分子量に依存した濃度勾配を形成することができる（沈降平衡原理）。
【００３６】
図５中矢印Ｃの方向へ遠心力を加えると、溶媒中に存在する溶質分子にも沈降力が加わる。溶質分子は、この沈降力と、これに逆らう拡散力が平衡した箇所に留まる。そして、分子量に依存した濃度勾配を形成する。
【００３７】
この沈降平衡原理を用いれば、例えば、図５に示すように、予め検出したい溶質分子の分子量から特定位置１３を求めておき、該特定位置１３から得られる光情報や放射線情報を捕捉することによって、溶媒中の特定の溶質分子の有無、又は溶質分子間の相互作用の有無などを検出することができる。
【００３８】
特定位置１３で行う検出方法は、特に限定されない。一例としては、図５に示すように、特定位置１３へ向けて、所定波長の蛍光励起光Ｑを光源３から出射して、特定位置１３内で励起された蛍光Ｆを、光ディテクタ４で検出し、蛍光強度等を測定する方法が挙げられる。
【００３９】
図６は、図４及び図５とは異なる実施形態の二次元物質分離路２ｃを示す外観図である。
【００４０】
本実施形態に係る二次元物質分離路２ｃは、一次元目分離路２１に複数の二次元目分離路１ａ（１ｂ）が連結された構成である。二次元目分離路１ａ（１ｂ）の連結箇所、及び、二次元目分離路１ａ（１ｂ）の連結本数は、目的に応じて自由に設計することができる。
【００４１】
二次元分離路２ｃには、一次元目分離路２１と平行して遷移コントロール路Ｍを設けることが望ましい。溶質分子を一次元目分離路２１から二次元目分離路１ａ（１ｂ）へ移行させる際、図６中矢印Ｓ２の平行圧力を加えるためである。また、一次元目分離路２１と遷移コントロール路Ｍとの間には、疎水性領域を設けることが望ましい。一次元目分離路２１からの溶質分子の流入を防止するためである。
【００４２】
まず、図６中矢印Ｓ１方向に試料溶媒を導入し、一次元目分離路２１内で、一次元分離を行う。一次元目分離路２１で行う分離方法は、特に限定されない。好適な一例としては、等電点電気泳動に基づいた分離方法が挙げられる。
【００４３】
一次元目分離中は、一次元目分離路２１、二次元目分離路１ａ（１ｂ）、及び遷移コントロール路Ｍに液体を充填しておくことにより、試料溶媒の移動を制限することができる。
【００４４】
次に、一次元目分離路２１で分離された溶質分子を、二次元目分離路１ａ（１ｂ）へ移行させる。移行方法は、特に限定されない。例えば、遠心力の付加、負圧吸引、正圧押出、毛細管現象などの方法を採用することができる。
【００４５】
また前述のように、遷移コントロール路Ｍを設けた場合には、遷移コントロール路Ｍに、図６中矢印Ｍ１方向に水圧を加えることにより、図６中矢印Ｍ２方向へ圧力が加わる。そして、この圧力が、図６中矢印Ｓ２方向の平行圧となり、一次元目分離路２１から二次元目分離路１ａ（１ｂ）へ、溶質分子を移行させることができる。
【００４６】
本実施形態に係る二次元物質分離路２ｃでは、一次元目分離路２１に複数の二次元目分離路１ａ（１ｂ）が連結されているため、一次元目分離路２１で分離された溶質分子を、それぞれ別々の二次元目分離路１ａ（１ｂ）へ同時に移行させることができる。そのため、分離時間などの短縮が図れ、効率のよい物質分離を行うことが可能である。
【００４７】
二次元目分離路１ａ（１ｂ）に移行した溶質分子は、二次元目分離路１ａ（１ｂ）内で、更に分離される。分離方法は、特に限定されない。好適な一例としては、遠心力Ｃによる沈降平衡に基づいた方法が挙げられる。この方法を用いれば、物質の分子量に依存した濃度勾配を形成することができる（沈降平衡原理）。そして、二次元分離路１ａ（１ｂ）内の任意の位置から得られる光情報や放射線情報を捕捉することによって、試料溶媒内の溶質分子の有無、又は溶質分子間の相互作用の有無などを検出することができる。
【００４８】
前記光情報や放射線情報などは特に限定されないが、例えば、物質の光吸収や光干渉（レイリー干渉計）による情報などを挙げることができる。
【００４９】
次に、図７を用いて、二次元物質分離路２ｃから溶質分子を回収する方法を説明する。図７は、図６と同一の実施形態である二次元物質分離路２ｃであって、一次元目分離路２１での分離、及び、二次元目分離路１ａ（１ｂ）での各種検出を終えた後の二次元物質分離路２ｃ示す外観図である。
【００５０】
二次元目分離路１ａ（１ｂ）での各種検出を終えた後、任意の二次元目分離路１ａ（１ｂ）の入口部１１１と出口部１２１を、疎水性から親水性へ変換する。疎水性から親水性への変換方法は、特に限定されない。好適な一例を挙げると、入口部１１１と出口部１２１を酸化チタンによって形成し、紫外線ＵＶを照射することにより、疎水性から親水性へと変換する方法が挙げられる。
【００５１】
入口部１１１と出口部１２１を親水性へ変換した際、図７中矢印Ｐ１方向からの正圧押出、又は、図７中矢印Ｐ２方向からの負圧吸引などを行うことにより、任意の二次元目分離路１ａ（１ｂ）内の溶質分子のみを回収することができる。また、遷移コントロール路Ｍを設けた場合には、図７中矢印Ｐ３方向からの正圧押出を行うことによっても、溶質分子の回収を行うことができる。溶質分子が回収される方向を図７中矢印Ｓ３で示す。回収した溶質分子は、さらに質量分析、構造解析などを行うことが可能である。
【００５２】
二次元物質分離路２ｃには、溶質分子を回収するための回収路５を設けることもできる。図７では、回収路５を全ての二次元目分離路１ａ（１ｂ）と連通して設けているが、この構成に限定されない。例えば、それぞれの二次元目分離路１ａ（１ｂ）に、各々回収路５を設けることも自由である。回収路５を連通しておけば、全ての二次元目分離路１ａ（１ｂ）から、溶質物質を一度に回収することができる。あるいは二次元目分離路１ａ（１ｂ）に各々回収路５を設ければ、それぞれの溶質分子を別々に回収することができ、さらなる各種解析を好適に行うことができる。
【００５３】
また、本発明に係る二次元分離路２ｃにおいては、任意の二次元目分離路の溶質分子のみを選択して回収することができるため、回収路５を全ての二次元目分離路に連通させた場合であっても、分離した溶質分子が混じりあうことなく回収することが可能である。
【００５４】
図８は、基板６上に形成された二次元物質分離路２ｄの一実施形態を示す外観図である。
【００５５】
図８では、上方外観視、円盤状を呈す形態の基板６を例示している。基板６の形態は、円盤状に限定されず、自由に設計することができる。基板６には、その中心部近傍に一次元目分離路２１を、上方視円形となるよう設置し、二次元目分離路１ａ（１ｂ）を外周方向に向かって複数、放射状に設置している。二次元目分離路１ａ（１ｂ）は、一次元目分離路２１の任意の場所に連結することができ、また、その数も自由に設計することができる。
【００５６】
図８中符号６１で示す部分は、一次元目分離路２１への試料導入部である。試料導入部６１から試料溶媒等を導入し、まず、一次元目分離路２１において、一次元分離を行う。一次元目分離路２１で行う分離方法は、特に限定されない。好適な一例としては、等電点電気泳動に基づいた分離方法が挙げられる。
【００５７】
一次元目分離を終えた溶質分子は、例えば、等電点電気泳動で分離した場合には、等電点に相当する泳動位置に分離された状態になる。二次元目分離路１ａ（１ｂ）の入口部（一次元目分離路２１との連結部分）には、図示しないが、前述のように疎水性領域を設けている。そのため、親水性の溶質分子が、一次元分離中に二次元目分離路１ａ（１ｂ）へ流入するのを防ぐことができる。従って、種々の溶質分子が混在した溶媒等の二次元目分離路への流入を防止し、物質の分離精度の向上を図ることが可能である。
【００５８】
一次元分離終了後、二次元目分離路１ａ（１ｂ）へ溶質分子を移行させる。移行方法は、特に限定されない。例えば、遠心力の付加、負圧吸引、正圧押出又は毛細管現象などの方法を採用することができる。具体的な一例を挙げると、図８で示すように、導入制御部６４を設け、この導入制御部６４から加圧や吸引等を行うことにより、溶質分子の移行を制御することができる。
【００５９】
二次元目分離路１ａ（１ｂ）に移行した溶質分子は、二次元目分離路１ａ（１ｂ）内で、更に分離される。分離方法は、特に限定されない。好適な一例としては、遠心力による沈降平衡に基づいた方法が挙げられる。例えば、図８中符号６２で示すように、基板６の中心部に図示しない回転軸を設置するための中心孔６２を設け、回転軸を中心として基板６を図８中矢印Ｒ方向へ回転させることで、二次元目分離路１ａ（１ｂ）に遠心力を加えることができる。遠心力を加えることにより、溶媒分子の分子量に依存した濃度勾配を形成することがでる（沈降平衡原理）。
【００６０】
そして、二次元分離路１ａ（１ｂ）内の任意の位置から得られる光情報や放射線情報を捕捉することによって、溶媒内の溶質分子含有の有無、又は溶媒分子の相互作用の有無などを検出することができる。
【００６１】
前記光情報や放射線情報などは特に限定されないが、例えば、物質の光吸収や光干渉（レイリー干渉計）による情報などを挙げることができる。
【００６２】
なお、前記回転軸は、等電点電気泳動等を行う際の電力供給手段として用いることも可能である。
【００６３】
本実施形態に係る二次元物質分離路２ｄでは、一次元目分離路２１に複数の二次元目分離路１ａ（１ｂ）が連結されているため、一次元目分離路２１で分離された溶質分子を、それぞれ別の二次元目分離路１ａ（１ｂ）へ同時に移行させることができる。また、全ての二次元目分離路１ａ（１ｂ）に同時に遠心力を加えることができる。そのため、分離時間などの短縮が図れ、効率のよい物質分離や種々の検出を行うことが可能である。
【００６４】
基板６上の二次元物質分離路２ｄには、回収路５、及び回収部６３を設けることもできる。回収路５、及び回収部６３は、分離、及び種々の検出を終えた溶質分子を回収する役割を担う。回収路５、及び回収部６３を設けておけば、分離後の溶質分子を回収し、さらに質量分析、構造解析などを行うことが可能である。
【００６５】
なお、図８では、回収路５、及び回収部６３を全ての二次元目分離路１ａ（１ｂ）と連通させるように、設けているが、この構成に限定されない。例えば、各々の二次元目分離路１ａ（１ｂ）に、各々回収路５、及び回収部６３を設けることも自由である。二次元目分離路１ａ（１ｂ）に各々回収路５、及び回収部６３を設ければ、それぞれの二次元目分離路１ａ（１ｂ）内の溶質分子を別々に回収することができ、さらなる各種解析を好適に行うことができる。あるいは、回収路５、及び回収部６３を連通しておけば、全ての溶質分子、及び溶媒等を一度に回収することも可能である。
【産業上の利用可能性】
【００６６】
本発明に係る物質分離路の制御方法は、試料溶液への移行を、目的のタイミングで、かつ、円滑に行うことができる。また、該制御方法を用いた本発明に係る二次元物質分離路は、一元目分離路から二次元目分離路への試料溶液への移行を、目的のタイミングで、かつ、円滑に行うことができる。そのため、一次元目の分離路に対して複数の二次元目分離路を接続した構成の二次元物質分離路では、任意に選択された二次元目分離路だけから目的の溶質分子を回収できる。
【００６７】
さらに、本発明に係る二次元物質分離路を基板上に形成することで、検出時間の短縮、検出効率の改善などを図り、あらゆる分野におけるターゲット物質の検出、若しくは含有量、構成成分、又は機能等の解析などに利用することができる。
【図面の簡単な説明】
【００６８】
【図１】本発明に係る制御方法の一実施形態を用いた物質分離路１の構成を示す外観図である。
【図２】図１とは異なる実施形態の制御方法を用いた物質分離路１ｂの構成を示す外観図である。
【図３】図１、図２とは異なる実施形態の制御方法を用いた物質分離路１ｃの構成を示す外観図である。
【図４】本発明に係る二次元物質分離路２ａの一実施形態を示す外観図である。
【図５】図４とは異なる実施形態の二次元物質分離路２ｂを示す外観図である。
【図６】図４及び図５とは異なる実施形態の二次元物質分離路２ｂを示す外観図である。
【図７】図６と同一の実施形態である二次元物質分離路２ｃであって、一次元目分離路２１での分離、二次元目分離路１ａ（１ｂ）での各種検出を終えた後の二次元物質分離路２ｃ示す外観図である。
【図８】基板６上に形成された二次元物質分離路２ｄの一実施形態を示す外観図である。
【符号の説明】
【００６９】
１ａ、１ｂ  物質分離路、二次元目分離路
１１  入口部
１２  出口部
２ａ、２ｂ、２ｃ、２ｄ  二次元物質分離路
２１  一次元目分離路
３  光源
４  光ディテクタ
５  回収路
６  基板
６１  試料導入部
６２  中心孔
６３  回収部
６４  導入制御部
【図１】
2008128775.tif 000003
【図２】
2008128775.tif 000004
【図３】
2008128775.tif 000005
【図４】
2008128775.tif 000006
【図６】
2008128775.tif 000007
【図７】
2008128775.tif 000008
【図８】
2008128775.tif 000009
【図５】
2008128775.tif 000010